(57)【要約】【課題】本発明は日よけ帽子を開示した。【解決手段】帽子主体を含み、前記帽子主体のクラウンの頂面には収納箱が固定的に取り付けられ、前記収納箱の中には雨をよけることができる雨よけ部品が設置され、前記雨よけ部品は前記収納箱の中に設置された収納溝を含み、前記収納溝の中には糸巻き筒が回転できるように取り付けられ、前記糸巻き筒には雨をよけることができる雨よけ布が巻き付いており、前記雨よけ布が広がった後に前記帽子主体全体を覆うことができ、雨よけの作用を果たし、使用者に装着される時、バイザーを巻き付けることに便利を与え、活動への邪魔を減少し、帽子と頭部との間には一定の空間があって汗をかくこと又は熱を排出することに便利を与え、帽子の大きさは異なる人の頭型によって自動的に調節されることができ、同時に雨の時、雨をよけることもできる。【選択図】図１
2020183599.tif 000002
【特許請求の範囲】
【請求項１】
正面視で、帽子主体を含み、前記帽子主体のクラウンの頂面には収納箱が固定的に取り付けられ、前記収納箱の中には雨をよけることができる雨よけ部品が設置され、前記雨よけ部品は前記収納箱の中に設置された収納溝を含み、前記収納溝の中には糸巻き筒が回転できるように取り付けられ、前記糸巻き筒には雨をよけることができる雨よけ布が巻き付いており、前記雨よけ布が広がった後に前記帽子主体全体を覆うことができ、雨よけの作用を果たし、前記帽子主体のクラウンの内部には調節部品が設置され、
前記調節部品は前記収納箱の中に回転できるように取り付けられたねじ軸を含み、前記収納箱の底面には固定突き出台が固定的に取り付けられ、前記固定突き出台の底面には四つの弾性ロッドが中心対称的に固定的に取り付けられ、前記弾性ロッドの片側には頭頂に直接つけることができる装着用リングが固定的に取り付けられ、前記帽子主体のクラウンの内部には固定架台が固定的に取り付けられ、前記ねじ軸にはねじ山ブロックがねじ山によって取り付けられ、前記ねじ山ブロックにはヒンジロッドがヒンジで取り付けられ、前記ヒンジロッドと前記固定架台とがヒンジで取り付けられ、前記ヒンジロッドと前記固定突き出台とがスライドできるように取り付けられ、前記ねじ山ブロックが上下にスライドする時、前記ヒンジロッドに前記装着用リングを制御させて帽子のきつさを調節し、異なる使用者の頭に対応し、前記帽子主体には補助筐体が固定的に取り付けられ、前記補助筐体の中には使用者にアウトドアでの使用に便利を与える補助部品が設置され、
前記補助部品は前記補助筐体の中に設置された締め括りチャンバを含み、前記締め括りチャンバの前後内壁の間には締め括り筒が回転できるように取り付けられ、前記締め括り筒の中にはアウトドアで使用するのに便利を与えるタオルが巻き付いており、前記締め括りチャンバの左側内壁には前記補助筐体の左面と連通している押しボタン溝が設置され、前記押しボタン溝の中には押しボタンがスライドできるように取り付けられ、前記締め括りチャンバの頂壁には押し板が固定的に取り付けられ、前記押しボタンが上方へスライドする時、前記押し板を前記締め括り筒と接触させ、また前記締め括り筒が移動できないように固定されることを特徴とする日よけ帽子。
【請求項２】
前記雨よけ部品はまた前記糸巻き筒に固定的に取り付けられたギヤを含み、前記収納溝と前記収納箱の左面との間には連通したギヤ溝が設置され、前記ギヤ溝の中には中間ギヤが回転できるように取り付けられ、前記中間ギヤが前記ギヤと噛み合っており、前記収納箱には回転リングが回転できるように取り付けられ、前記回転リングには内歯が設置され、前記回転リングの内歯が前記中間ギヤと噛み合っており、前記雨よけ布には引き紐が設置され、前記帽子主体のバイザーには第一面フィスナーが固定的に取り付けられ、第一面フィスナーが前記雨よけ布にある面フィスナーと接着できることを特徴とする請求項１に記載の日よけ帽子。
【請求項３】
前記調節部品はまた前記ねじ軸の頂部端面に固定的に取り付けられたつまみを含み、前記帽子主体のクラウンの内部には固定リングが固定的に取り付けられ、前記固定リングの中にはバネチャンバが設置され、前記装着用リングの一つの側面にはスライドロッドが固定的に取り付けられ、前記スライドロッドと前記固定リングとがスライドできるように取り付けられ、且つ前記固定リングの中に入り、前記スライドロッドには位置制限板が固定的に取り付けられ、前記位置制限板と前記バネチャンバとがスライドできるように取り付けられ、前記位置制限板と前記バネチャンバの片側内壁との間にはバネが固定的に取り付けられ、前記装着用リングの一つの側面には装着の快適さを高めることができるゴムリングが固定的に取り付けられることを特徴とする請求項１に記載の日よけ帽子。
【請求項４】
前記補助部品はまた前記補助筐体の頂面に固定的に取り付けられた第二面フィスナーを含み、前記補助筐体の頂面にはソーラーパネルが固定的に取り付けられ、前記締め括り筒と前記締め括りチャンバの後側内壁との間にはぜんまいが固定的に取り付けられ、前記補助筐体の底面にはモーターが固定的に取り付けられ、前記モーターの出力軸には羽根が固定的に取り付けられ、前記押し板が弾性を持つことを特徴とする請求項１に記載の日よけ帽子。
【発明の詳細な説明】
【技術分野】
【０００１】
本発明はアウトドア用品分野に関わり、具体的には日よけ帽子である。
【背景技術】
【０００２】
人々は外出する時、よく日よけ帽子をかぶって日をよけ、現在には使用される日よけ帽子のバイザーは非常に広く、活動をする時、人の動作に一定の影響を与え、帽子が頭と直接接触し、汗をかくことに不便であり、帽子の大きさが固定的なので、異なる使用者に対応することができない。
【先行技術文献】
【特許文献】
【０００３】
【特許文献１】中国特許出願公開第１０３３００５２８号明細書
【発明の概要】
【発明が解決しようとする課題】
【０００４】
本発明は日よけ帽子を提供し、既存技術にある上記の欠点を解消することを目的とする。
【課題を解決するための手段】
【０００５】
本発明の実施例の日よけ帽子は、帽子主体を含み、前記帽子主体のクラウンの頂面には収納箱が固定的に取り付けられ、前記収納箱の中には雨をよけることができる雨よけ部品が設置され、前記雨よけ部品は前記収納箱の中に設置された収納溝を含み、前記収納溝の中には糸巻き筒が回転できるように取り付けられ、前記糸巻き筒には雨をよけることができる雨よけ布が巻き付いており、前記雨よけ布が広がった後に前記帽子主体全体を覆うことができ、雨よけの作用を果たし、前記帽子主体のクラウンの内部には調節部品が設置され、前記調節部品は前記収納箱の中に回転できるように取り付けられたねじ軸を含み、前記収納箱の底面には固定突き出台が固定的に取り付けられ、前記固定突き出台の底面には四つの弾性ロッドが中心対称的に固定的に取り付けられ、前記弾性ロッドの片側には頭頂に直接つけることができる装着用リングが固定的に取り付けられ、前記帽子主体のクラウンの内部には固定架台が固定的に取り付けられ、前記ねじ軸にはねじ山ブロックがねじ山によって取り付けられ、前記ねじ山ブロックにはヒンジロッドがヒンジで取り付けられ、前記ヒンジロッドと前記固定架台とがヒンジで取り付けられ、前記ヒンジロッドと前記固定突き出台とがスライドできるように取り付けられ、前記ねじ山ブロックが上下にスライドする時、前記ヒンジロッドに前記装着用リングを制御させて帽子のきつさを調節し、異なる使用者の頭に対応し、前記帽子主体には補助筐体が固定的に取り付けられ、前記補助筐体の中には使用者にアウトドアでの使用に便利を与える補助部品が設置され、前記補助部品は前記補助筐体の中に設置された締め括りチャンバを含み、前記締め括りチャンバの前後内壁の間には締め括り筒が回転できるように取り付けられ、前記締め括り筒の中にはアウトドアで使用するのに便利を与えるタオルが巻き付いており、前記締め括りチャンバの左側内壁には前記補助筐体の左面と連通している押しボタン溝が設置され、前記押しボタン溝の中には押しボタンがスライドできるように取り付けられ、前記締め括りチャンバの頂壁には押し板が固定的に取り付けられ、前記押しボタンが上方へスライドする時、前記押し板を前記締め括り筒と接触させ、また前記締め括り筒が移動できないように固定される。
【０００６】
さらなる技術プランには、前記雨よけ部品はまた前記糸巻き筒に固定的に取り付けられたギヤを含み、前記収納溝と前記収納箱の左面との間には連通したギヤ溝が設置され、前記ギヤ溝の中には中間ギヤが回転できるように取り付けられ、前記中間ギヤが前記ギヤと噛み合っており、前記収納箱には回転リングが回転できるように取り付けられ、前記回転リングには内歯が設置され、前記回転リングの内歯が前記中間ギヤと噛み合っており、前記雨よけ布には引き紐が設置され、前記帽子主体のバイザーには第一面フィスナーが固定的に取り付けられ、第一面フィスナーが前記雨よけ布にある面フィスナーと接着できる。
【０００７】
さらなる技術プランには、前記調節部品はまた前記ねじ軸の頂部端面に固定的に取り付けられたつまみを含み、前記帽子主体のクラウンの内部には固定リングが固定的に取り付けられ、前記固定リングの中にはバネチャンバが設置され、前記装着用リングの一つの側面にはスライドロッドが固定的に取り付けられ、前記スライドロッドと前記固定リングとがスライドできるように取り付けられ、且つ前記固定リングの中に入り、前記スライドロッドには位置制限板が固定的に取り付けられ、前記位置制限板と前記バネチャンバとがスライドできるように取り付けられ、前記位置制限板と前記バネチャンバの片側内壁との間にはバネが固定的に取り付けられ、前記装着用リングの一つの側面には装着の快適さを高めることができるゴムリングが固定的に取り付けられる。
【０００８】
さらなる技術プランには、前記補助部品はまた前記補助筐体の頂面に固定的に取り付けられた第二面フィスナーを含み、前記補助筐体の頂面にはソーラーパネルが固定的に取り付けられ、前記締め括り筒と前記締め括りチャンバの後側内壁との間にはぜんまいが固定的に取り付けられ、前記補助筐体の底面にはモーターが固定的に取り付けられ、前記モーターの出力軸には羽根が固定的に取り付けられ、前記押し板が弾性を持つ。
【発明の効果】
【０００９】
本発明の有益な効果は：本発明は使用者に装着される時、バイザーを巻き付けることに便利を与え、活動への邪魔を減少し、帽子と頭部との間には一定の空間があって汗をかくこと又は熱を排出することに便利を与え、帽子の大きさは異なる人の頭型によって自動的に調節されることができ、同時に雨の時、雨をよけることもでき、普及する価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の日よけ帽子の全体構造略図
【図２】図２は図１の中のＡ―Ａ方向の断面構造略図
【図３】図３は図１の中のＢ―Ｂ方向の断面構造略図
【図４】図４は図１の中のＣのところの拡大構造略図
【発明を実施するための形態】
【００１２】
図１〜４を参照し、本発明の実施例の日よけ帽子は、帽子主体１０を含み、前記帽子主体１０のクラウンの頂面には収納箱１２が固定的に取り付けられ、前記収納箱１２の中には雨をよけることができる雨よけ部品８０が設置され、前記雨よけ部品８０は前記収納箱１２の中に設置された収納溝１６を含み、前記収納溝１６の中には糸巻き筒１８が回転できるように取り付けられ、前記糸巻き筒１８には雨をよけることができる雨よけ布２１が巻き付いており、前記雨よけ布２１が広がった後に前記帽子主体１０全体を覆うことができ、雨よけの作用を果たし、前記帽子主体１０のクラウンの内部には調節部品８１が設置され、前記調節部品８１は前記収納箱１２の中に回転できるように取り付けられたねじ軸２０を含み、前記収納箱１２の底面には固定突き出台２５が固定的に取り付けられ、前記固定突き出台２５の底面には四つの弾性ロッド２８が中心対称的に固定的に取り付けられ、前記弾性ロッド２８の片側には頭頂に直接つけることができる装着用リング３５が固定的に取り付けられ、前記帽子主体１０のクラウンの内部には固定架台２３が固定的に取り付けられ、前記ねじ軸２０にはねじ山ブロック２６がねじ山によって取り付けられ、前記ねじ山ブロック２６にはヒンジロッド２７がヒンジで取り付けられ、前記ヒンジロッド２７と前記固定架台２３とがヒンジで取り付けられ、前記ヒンジロッド２７と前記固定突き出台２５とがスライドできるように取り付けられ、前記ねじ山ブロック２６が上下にスライドする時、前記ヒンジロッド２７に前記装着用リング３５を制御させて帽子のきつさを調節し、異なる使用者の頭に対応し、前記帽子主体１０には補助筐体３６が固定的に取り付けられ、前記補助筐体３６の中には使用者にアウトドアでの使用に便利を与える補助部品８２が設置され、前記補助部品８２は前記補助筐体３６の中に設置された締め括りチャンバ３９を含み、前記締め括りチャンバ３９の前後内壁の間には締め括り筒４２が回転できるように取り付けられ、前記締め括り筒４２の中にはアウトドアで使用するのに便利を与えるタオル４９が巻き付いており、前記締め括りチャンバ３９の左側内壁には前記補助筐体３６の左面と連通している押しボタン溝４７が設置され、前記押しボタン溝４７の中には押しボタン３８がスライドできるように取り付けられ、前記締め括りチャンバ３９の頂壁には押し板４０が固定的に取り付けられ、前記押しボタン３８が上方へスライドする時、前記押し板４０を前記締め括り筒４２と接触させ、また前記締め括り筒４２が移動できないように固定される。
【００１３】
前記雨よけ部品８０はまた前記糸巻き筒１８に固定的に取り付けられたギヤ１７を含み、前記収納溝１６と前記収納箱１２の左面との間には連通したギヤ溝１４が設置され、前記ギヤ溝１４の中には中間ギヤ１５が回転できるように取り付けられ、前記中間ギヤ１５が前記ギヤ１７と噛み合っており、前記収納箱１２には回転リング１３が回転できるように取り付けられ、前記回転リング１３には内歯が設置され、前記回転リング１３の内歯が前記中間ギヤ１５と噛み合っており、前記雨よけ布２１には引き紐２２が設置され、前記帽子主体１０のバイザーには第一面フィスナー１１が固定的に取り付けられ、第一面フィスナー１１が前記雨よけ布２１にある面フィスナーと接着でき、使用の時、引き紐２２を引き動かし、それによって雨よけ布２１が帽子主体１０全体を覆い、帽子が雨よけの作用を果たし、使用が完成した後、回転リング１３を回転させ、回転リング１３がギヤ１７と糸巻き筒１８とを回転連動させ、雨よけ布２１を収納溝１６の中に収める。
【００１４】
前記調節部品８１はまた前記ねじ軸２０の頂部端面に固定的に取り付けられたつまみ１９を含み、前記帽子主体１０のクラウンの内部には固定リング３１が固定的に取り付けられ、前記固定リング３１の中にはバネチャンバ３２が設置され、前記装着用リング３５の一つの側面にはスライドロッド３０が固定的に取り付けられ、前記スライドロッド３０と前記固定リング３１とがスライドできるように取り付けられ、且つ前記固定リング３１の中に入り、前記スライドロッド３０には位置制限板３３が固定的に取り付けられ、前記位置制限板３３と前記バネチャンバ３２とがスライドできるように取り付けられ、前記位置制限板３３と前記バネチャンバ３２の片側内壁との間にはバネ３４が固定的に取り付けられ、前記装着用リング３５の一つの側面には装着の快適さを高めることができるゴムリング２９が固定的に取り付けられ、帽子をかぶる時、つまみ１９を回転させ、つまみ１９がねじ軸２０を回転連動させ、ねじ軸２０が回転してねじ山ブロック２６を上下に移動連動させ、ねじ山ブロック２６が装着用リング３５を連動させて異なる人の頭に対応する。
【００１５】
前記補助部品８２はまた前記補助筐体３６の頂面に固定的に取り付けられた第二面フィスナー４５を含み、前記補助筐体３６の頂面にはソーラーパネル４６が固定的に取り付けられ、前記締め括り筒４２と前記締め括りチャンバ３９の後側内壁との間にはぜんまい４４が固定的に取り付けられ、前記補助筐体３６の底面にはモーター５０が固定的に取り付けられ、前記モーター５０の出力軸には羽根５１が固定的に取り付けられ、前記押し板４０が弾性を持ち、それによってソーラーパネル４６が発電した後に電力をモーターに伝送し、モーター５０が回転して人に涼しく感じさせ、帽子主体１０のバイザーの部分は巻き付いた後、第一面フィスナー１１と第二面フィスナー４５とを互いに接着させ、バイザーが人の視界への邪魔を減少でき、タオル４９を引き動かし、それによってタオル４９が締め括りチャンバ３９の中から引き出された後、顔を直接遮ることができ、押しボタン３８を上方へ推し動かし、それによって押し板４０が締め括り筒４２と接触し、締め括り筒４２は移動できないように固定されることができ、タオル４９が正常に使われ、押しボタン３８を下方へ推し動かす時、押し板４０が締め括り筒４２と接触しなくなり、ぜんまい４４が締め括り筒４２を回転させてタオル４９を自動的に巻き付けて締め括りチャンバ３９の中に回収する。
【００１６】
使用の時、帽子をかぶる時、つまみ１９を回転させ、つまみ１９がネジ軸２０を回転連動させ、ねじ軸２０が回転してねじ山ブロック２６を上下に移動させ、ねじ山ブロック２６が装着用リング３５を連動させて異なる人の頭に対応し、ソーラーパネル４６が発電した後に電力をモーター５０に伝送し、モーター５０が回転して人に涼しく感じさせ、帽子主体１０のバイザーの部分は巻き付いた後、第一面フィスナー１１と第二面フィスナー４５とを互いに接着させて、バイザーが人の視界への邪魔を減少でき、タオル４９を引き動かし、それによってタオル４９が締め括りチャンバ３９の中から引き出された後、顔を直接遮ることができ、押しボタン３８を上方へ推し動かし、それによって押し板４０が締め括り筒４２と接触し、締め括り筒４２が移動できないように固定されることができ、タオル４９が正常に使われ、押しボタン３８を下方へ推し動かす時、押し板４０が締め括り筒４２と接触しなくなり、ぜんまい４４が締め括り筒４２を回転させてタオル４９を自動的に巻き付けて締め括りチャンバ３９の中に回収し、雨よけの時、引き紐２２を引き動かし、それによって雨よけ布２１が帽子主体１０全体を覆い、帽子が雨よけの作用を果たし、使用が完成した後、回転リング１３を回転させ、回転リング１３がギヤ１７と糸巻き筒１８とを回転連動させ、雨よけ布２１を収納溝１６の中に収める。
【００１７】
本発明の有益な効果は：本発明は使用者に装着される時、バイザーを巻き付けることに便利を与え、活動への邪魔を減少し、帽子と頭部との間には一定の空間があって汗をかくこと又は熱を排出することに便利を与え、帽子の大きさは異なる人の頭型によって自動的に調節されることができ、同時に雨の時、雨をよけることもでき、普及する価値がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020183599.tif 000003
【図２】
2020183599.tif 000004
【図３】
2020183599.tif 000005
【図４】
2020183599.tif 000006